(57)【要約】【課題】デジタルマルチメディア放送受信器でＰＡＴ及びＰＭＴ検索にかかる不必要な時間をなくすことによって、チャンネル切り替え時間を最小化する装置及び方法を提供する。【解決手段】本発明は、デジタルマルチメディア放送受信器における放送チャンネルの切り替えを制御する装置であって、伝送ストリームパケットを第１バッファリングした後に、切り替えられる放送チャンネルに関するプログラム情報を獲得するために、バッファリングされたデータからＰＡＴ、ＰＭＴ、及びイントラフレームを検索する第１の逆多重化部と、伝送ストリームパケットを第２バッファリングし、第１の逆多重化部で獲得したプログラム情報に基づいて、第２バッファリングした伝送ストリームパケットから該当放送チャンネルのオーディオ或いはビデオ伝送ストリームパケットを検索してオーディオ或いはビデオ逆多重化を遂行する第２の逆多重化部とを含むことを特徴とする。【選択図】図３
2006262483.tif 000002
【特許請求の範囲】
【請求項１】
デジタルマルチメディア放送受信器における放送チャンネルの切り替えを制御する装置であって、
伝送ストリームパケットを第１バッファリングした後に、前記切り替えられる放送チャンネルに関するプログラム情報を獲得するために、前記バッファリングされたデータからＰＡＴ(Ｐｒｏｇｒａｍ  Ａｓｓｏｃｉａｔｉｏｎ  Ｔａｂｌｅ)、ＰＭＴ(Ｐｒｏｇｒａｍ  Ｍａｐ  Ｔａｂｌｅ)、及びイントラフレームを検索する第１の逆多重化部と、
前記伝送ストリームパケットを第２バッファリングし、前記第１の逆多重化部で獲得したプログラム情報に基づいて、前記第２バッファリングした伝送ストリームパケットから該当放送チャンネルのオーディオ或いはビデオ伝送ストリームパケットを検索してオーディオ或いはビデオ逆多重化を遂行する第２の逆多重化部と、
を含むことを特徴とする装置。
【請求項２】
前記第１の逆多重化部による逆多重化を１回遂行してプログラム情報の獲得に成功すると、その後に前記第２の逆多重化部によって逆多重化を遂行することを特徴とする請求項１記載の装置。
【請求項３】
前記第１の逆多重化部が、前記ＰＡＴ、ＰＭＴ、及びイントラフレームを検索するときに、前記第１バッファリングされたパケットのうちの第１のパケットから再び検索を始めることを特徴とする請求項１記載の装置。
【請求項４】
前記第１の逆多重化部が、
伝送ストリームパケットを第１バッファリングするバッファと、
前記第１バッファリングされた伝送ストリームパケットからＰＡＴを検索するＰＡＴ検索器と、
前記第１バッファリングされた伝送ストリームパケットからＰＭＴを検索するＰＭＴ検索器と、
前記第１バッファリングされた伝送ストリームパケットからイントラフレームを検索するイントラフレーム検索器と、
前記第１バッファリングされた伝送ストリームパケットから該当放送チャンネルのオーディオ伝送ストリームパケットを検索してオーディオ逆多重化を遂行するオーディオ逆多重化器と、
前記第１バッファリングされた伝送ストリームパケットから該当放送チャンネルのビデオ伝送ストリームパケットを検索してビデオ逆多重化を遂行するビデオ逆多重化器と、
を含むことを特徴とする請求項１記載の装置。
【請求項５】
前記ＰＡＴ検索部がＰＡＴ検索を成功すると、前記ＰＭＴ検索部はＰＭＴに対して検索し、前記ＰＭＴ検索部がＰＭＴ検索を成功すると、前記イントラフレーム検索部は前記イントラフレームに対して検索し、前記イントラフレーム検索器がイントラフレーム検索を成功すると、前記ビデオ逆多重化器はビデオ逆多重化を遂行することを特徴とする請求項４記載の装置。
【請求項６】
前記第１バッファリングされたデータの量は、第２バッファリングされたデータの量より大きいことを特徴とする請求項１記載の装置。
【請求項７】
前記第１の逆多重化部がＰＡＴ、ＰＭＴ、及びイントラフレームの検索に失敗したときに、前記第２の逆多重化部は、前記第２バッファリングされたパケットのうち第１のパケットから再び検索を始めることなく、ＰＡＴ、ＰＭＴ、及びイントラフレームの検索を順次に遂行することを特徴とする請求項１記載の装置。
【請求項８】
前記第２の逆多重化部は、
伝送ストリームパケットを第２バッファリングするためのバッファと、
前記第２バッファリングされた伝送ストリームパケットからＰＡＴを検索するＰＡＴ検索器と、
前記ＰＡＴ検索に成功すると、前記第２バッファリングされた伝送ストリームパケットからＰＭＴを検索するＰＭＴ検索器と、
前記ＰＭＴ検索に成功すると、前記第２バッファリングされた伝送ストリームパケットからイントラフレームを検索するイントラフレーム検索器と、
前記ＰＡＴ、ＰＭＴ検索に順次に成功すると、前記第２バッファリングされた伝送ストリームパケットから該当放送チャンネルのオーディオ伝送ストリームパケットを検索してオーディオ逆多重化を遂行するオーディオ逆多重化器と、
前記ＰＡＴ、ＰＭＴ、イントラフレームの検索に順次に成功すると、前記第２バッファリングされた伝送ストリームパケットから該当放送チャンネルのビデオ伝送ストリームパケットを検索してビデオ逆多重化を遂行するビデオ逆多重化器と、
を含み、
前記ＰＡＴ、ＰＭＴ、イントラフレームのうちいずれか一つの検索に失敗すると、次の伝送ストリームパケットを第２バッファリングして前記ＰＡＴ検索から再び実施するように構成されることを特徴とする請求項１又は７に記載の装置。
【請求項９】
デジタルマルチメディア放送受信器における放送チャンネルの切り替えを制御する方法であって、
伝送ストリームパケットを第１バッファリングする第１の段階と、
前記第１バッファリングされた伝送ストリームパケットからＰＡＴ、ＰＭＴ、及びイントラフレームを検索して該当放送チャンネルのプログラム情報を獲得する第２の段階と、
前記獲得した放送チャンネルのプログラム情報に基づいて、前記第１バッファリングされた伝送ストリームパケットから該当放送チャンネルのオーディオ或いはビデオデータを検索して逆多重化を遂行する第３の段階と、
前記放送チャンネルのプログラム情報を獲得すると、伝送ストリームパケットを第２バッファリングする第４の段階と、
前記獲得した放送チャンネルのプログラム情報に基づいて、前記第２バッファリングされた伝送ストリームパケットから該当放送チャンネルのオーディオ或いはビデオ伝送ストリームパケットを検索してオーディオ或いはビデオ逆多重化を遂行する第５の段階と、
を含むことを特徴とする方法。
【請求項１０】
前記第２の段階は、
前記第１バッファリングされた伝送ストリームパケットの第１のパケットからチェックしてＰＡＴを検索する段階と、
前記第１バッファリングされた伝送ストリームパケットの第１のパケットからチェックしてＰＭＴを検索する段階と、
前記第１バッファリングされた伝送ストリームパケットの第１のパケットからチェックしてイントラフレームを検索する段階と、
を有することを特徴とする請求項９記載の方法。
【請求項１１】
前記第２の段階で、該当放送チャンネルのプログラム情報の獲得に失敗すると、前記第２バッファリングされたデータからＰＡＴ、ＰＭＴ、及びイントラフレームを順次に検索する第６の段階をさらに含むことを特徴とする請求項９記載の方法。
【請求項１２】
前記第６の段階で、前記ＰＡＴ、ＰＭＴ、及びイントラフレームが順次に検索されず、或いはいずれか一つでも検索するのに失敗すると、現在バッファリングされた伝送ストリームパケットを捨て、次の伝送ストリームパケットをバッファリングするために前記第４の段階に帰る第７の段階をさらに含むことを特徴とする請求項１１記載の方法。
【発明の詳細な説明】
【技術分野】
【０００１】
本発明は、デジタル放送システムに関するもので、特に、デジタルマルチメディア放送(Ｄｉｇｉｔａｌ  Ｍｕｌｔｉｍｅｄｉａ  Ｂｒｏａｄｃａｓｔｉｎｇ：以下、“ＤＭＢ”とする)チャンネルの切り替えを制御するための装置及び方法に関するものである。
【背景技術】
【０００２】
衛星又は地上波ＤＭＢの伝送規格として、ＭＰＥＧ(Ｍｏｔｉｏｎ  Ｐｉｃｔｕｒｅ  Ｅｘｐｅｒｔｓ  Ｇｒｏｕｐ)-２ＴＳ(Ｔｒａｎｓｐｏｒｔ  Ｓｔｒｅａｍ)を使用する。デジタル放送センターは、デジタル放送受信器にＰＳＩ(Ｐｒｏｇｒａｍ  Ｓｐｅｃｉｆｉｃ  Ｉｎｆｏｒｍａｔｉｏｎ)を伝送し、デジタル放送受信器はこのＰＳＩを参照して放送チャンネルを切り替える。
【０００３】
ＰＳＩとしては、ＰＡＴ(Ｐｒｏｇｒａｍ  Ａｓｓｏｃｉａｔｉｏｎ  Ｔａｂｌｅ)、ＰＭＴ(Ｐｒｏｇｒａｍ  Ｍａｐ  Ｔａｂｌｅ)がある。ＰＡＴは、現在放送中である放送チャンネルＩＤ(Ｉｄｅｎｔｉｆｉｃａｔｉｏｎ)と、その放送チャンネルの追加情報を有するＰＭＴのＰＩＤ(Ｐａｃｋｅｔ  ＩＤ)とを含む。ＰＭＴは、個別放送チャンネルに該当するビデオ、オーディオＴＳのＰＩＤを含む。
【０００４】
特定放送を視聴するために、そのチャンネルのオーディオ或いはビデオＴＳを抽出すべきである。オーディオ或いはビデオＴＳのＰＩＤを知るためにはＰＭＴをまず確認すべく、ＰＭＴのＰＩＤを知るためにはＰＡＴを確認すべきである。したがって、一つの放送を視聴するためにＰＡＴを検索し、ＰＭＴを検索してからオーディオ/ビデオを確認することができる。
【０００５】
ＰＡＴは約０．５秒の伝送周期を有するように設定され、ＰＭＴは０．５〜１秒の伝送周期を有するように設定される。伝送周期は、放送センターの伝送によるが、チャンネル切り替え時間を最小化するために比較的よく伝送している。チャンネルを切り替えるために、ＰＡＴとＰＭＴは、常に検索をしなければならない。したがって、ＰＡＴとＰＭＴを検索するのにかかる時間が、最大１秒以上である。その結果、従来技術で、チャンネル切り替え時間は、オーディオ、ビデオバッファリング時間だけでなく、基本的にＰＳＩデータを検索する時間も含む。言い換えれば、ＰＳＩデータを検索するのにかかる時間だけチャンネル切り替え時間が遅れる。
【０００６】
図１は、デジタル放送受信器で遂行される従来の逆多重化を示すブロック構成図である。
デジタル放送受信器がＴＳパケットを受信すると、ＴＳバッファ２２が受信されたＴＳパケットをバッファリングする。ＰＡＴ検索器２４は、バッファリングされたＴＳパケットからＰＡＴを検索する。継続して受信されるＴＳパケットの中にＰＡＴ情報を有するパケットがあるか否かを検索するために、ＴＳパケットのヘッダーを分析してＰＩＤが‘０’であるか否かをチェックする。ＰＩＤが‘０’であると、ペイロード(ｐａｙｌｏａｄ)にＰＡＴ情報が含まれていることを示す。
【０００７】
ＰＡＴ検索に成功すると、ＰＡＴ検索器２４は、そのＰＡＴから放送チャンネル及びＰＭＴのＰＩＤリストを獲得し、ユーザーが視聴しようとする放送チャンネルのＰＭＴのＰＩＤを獲得する。ユーザーが視聴しようとする放送チャンネルのＰＭＴのＰＩＤに基づいて、ＰＭＴ検索器２６は、ＴＳバッファ２２にバッファリングされたＴＳパケットのヘッダーを分析し、そのＴＳパケットがＰＭＴであるか否かを確認してみる作業を通じて該当ＰＭＴを検索する。
【０００８】
ＰＭＴ検索も成功すると、そのＰＭＴから該当放送チャンネルのオーディオ/ビデオＰＥＳ(Ｐａｃｋｅｔｉｚｅｄ  Ｅｌｅｍｅｎｔａｒｙ  Ｓｔｒｅａｍ)のＰＩＤを獲得する。このとき、獲得されたビデオＰＥＳのＰＩＤを参照すると、受信ＴＳパケットから該当放送チャンネルのビデオＴＳパケットを判別することができる。イントラフレーム検出器２８は、該当放送チャンネルのビデオＴＳパケットからイントラフレームの検出が可能である。このように、イントラフレームまで検出されると、以後にはＰＡＴ、ＰＭＴ、イントラフレームを検索する必要なく(該当放送チャンネルのプログラム情報を検索したため)ビデオ、オーディオ逆多重化のみを遂行すると良い。すなわち、ビデオ逆多重化器３０は、ＴＳパケットのヘッダー分析を通じてそのＴＳパケットがビデオＴＳパケットであるか否かを確認する。その結果、ＴＳパケットがビデオＴＳパケットであると、ビデオ逆多重化を遂行してビデオデータをリングバッファ(ｖｉｄ)１００に伝送する。オーディオ逆多重化器３２も、バッファリングしたＴＳパケットのヘッダー分析を通じてそのＴＳパケットがオーディオＴＳパケットであるか否かを確認する。その結果、ＴＳパケットがオーディオＴＳパケットであると、オーディオ逆多重化器３２は、オーディオ逆多重化を遂行し、オーディオデータをリングバッファ(ａｕｄ)１５０に伝送する。
【０００９】
イントラフレーム検索器２８は、オーディオ/ビデオ逆多重化の開始を知らせる。このイントラフレーム検索器２８は、完全なイントラフレームの一つを検索し、このイントラフレームに対しても逆多重化を遂行することが可能である。したがって、ビデオの場合には、イントラフレームが検出される場合のみにビデオ逆多重化の遂行が可能であるが、オーディオの場合にはそうでない。但し、図示のように、イントラフレームの検索に成功した後に、オーディオ逆多重化を遂行するように構成すると、オーディオとビデオの同期をより容易に合わせることができるという長所がある。
【００１０】
図示していないが、ビデオ或いはオーディオデータは、それぞれのデコーダーに提供され、各デコーダーで圧縮解除されたビデオ或いはオーディオ信号は、ユーザーが視聴できるように表示部或いはスピーカを通じて出力される。
【００１１】
しかしながら、ＰＡＴ検索に失敗すると、バッファリングされたＴＳパケットを捨て、ＴＳバッファリングから再び実施する。また、ＰＡＴ検索には成功したが、ＰＭＴ検索に失敗した場合にも、バッファリングされたＴＳパケットを捨て、ＴＳバッファリングから再び遂行する。また、ＰＡＴ検索とＰＭＴ検索には成功したが、イントラフレーム検索に失敗した場合にも、バッファリングしたＴＳパケットを捨て、ＴＳバッファリングから再び遂行する。
【００１２】
図２は、従来の逆多重化によるビデオ開始時点を示す例示図である。
もし、ＰＡＴが０.４秒、０.９秒、１.４秒に位置し、ＰＭＴは０.３秒、０.８秒、１.３秒に位置し、イントラフレームは０.１秒、１.１秒に位置すると仮定すると、図１に示した逆多重化を遂行する場合に、０.４秒の位置でＰＡＴを検索してから(１ｓｔ)、０.８秒の位置でＰＭＴを検索した後(２ｎｄ)、１.１秒の位置でイントラフレームを検索する(３ｔｈ)。  
【００１３】
その結果、チャンネルを切り替えてから１.１秒以後に第１のビデオＴＳパケットが逆多重化される。第１のビデオＴＳパケットが逆多重化されても、直ちに表示部の画面に絵が表示されることではない。後方ステージのビデオリングバッファ(ｖｉｄ)１００が１〜２秒程度は貯蔵を遂行した後に、絵が表示され始めるという問題があった。もし、バッファリング時間が２秒であると仮定する場合に、約３.１秒以後に絵が表示され始めることである。
【発明の開示】
【発明が解決しようとする課題】
【００１４】
したがって、本発明の目的は、デジタルマルチメディア放送受信器でＰＡＴ及びＰＭＴ検索にかかる不必要な時間をなくすことによって、チャンネル切り替え時間を最小化する装置及び方法を提供することにある。
【課題を解決するための手段】
【００１５】
上記のような目的を達成するために、本発明は、デジタルマルチメディア放送受信器における放送チャンネルの切り替えを制御する装置であって、伝送ストリームパケットを第１バッファリングした後に、前記切り替えられる放送チャンネルに関するプログラム情報を獲得するために、前記バッファリングされたデータからＰＡＴ(Ｐｒｏｇｒａｍ  Ａｓｓｏｃｉａｔｉｏｎ  Ｔａｂｌｅ)、ＰＭＴ(Ｐｒｏｇｒａｍ  Ｍａｐ  Ｔａｂｌｅ)、及びイントラフレームを検索する第１の逆多重化部と、前記伝送ストリームパケットを第２バッファリングし、前記第１の逆多重化部で獲得したプログラム情報に基づいて、前記第２バッファリングした伝送ストリームパケットから該当放送チャンネルのオーディオ或いはビデオ伝送ストリームパケットを検索してオーディオ或いはビデオ逆多重化を遂行する第２の逆多重化部とを含むことを特徴とする。
【００１６】
また、本発明は、デジタルマルチメディア放送受信器における放送チャンネルの切り替えを制御する方法であって、伝送ストリームパケットを第１バッファリングする第１の段階と、前記第１バッファリングされた伝送ストリームパケットからＰＡＴ、ＰＭＴ、及びイントラフレームを検索して該当放送チャンネルのプログラム情報を獲得する第２の段階と、前記獲得した放送チャンネルのプログラム情報に基づいて、前記第１バッファリングされた伝送ストリームパケットから該当放送チャンネルのオーディオ或いはビデオデータを検索して逆多重化を遂行する第３の段階と、前記放送チャンネルのプログラム情報を獲得すると、伝送ストリームパケットを第２バッファリングする第４の段階と、前記獲得した放送チャンネルのプログラム情報に基づいて、前記第２バッファリングされた伝送ストリームパケットから該当放送チャンネルのオーディオ或いはビデオ伝送ストリームパケットを検索してオーディオ或いはビデオ逆多重化を遂行する第５の段階とを含むことを特徴とする。 
【発明の効果】
【００１７】
本発明は、ＴＳパケットの逆多重化を遂行することにおいて、第１の逆多重化と第２の逆多重化に区分して遂行することによって、ＰＡＴ、ＰＭＴ、イントラフレームを検索するのにかかる時間を最小化してチャンネル切り替え速度を向上させる効果がある。
【発明を実施するための最良の形態】
【００１８】
以下、本発明の望ましい実施形態を添付の図面を参照して詳細に説明する。
下記の説明において、同一の構成要素に対してはできるだけ同一の参照符号及び参照番号を付して説明する。本発明に関連した公知の機能及び構成が本発明の要旨を不明にすると判断された場合に、その詳細な説明を省略する。
【００１９】
図３は、本発明の望ましい実施形態によるデジタル放送受信器の逆多重化装置の構成を示す図である。
本発明の要旨は、第１の逆多重化と第２の逆多重化に分けて逆多重化を遂行することである。第２の逆多重化部２００の基本的な構成は、前述した図１の構成と同一なので、その具体的な説明を省略する。但し、第２の逆多重化部２００によるＰＡＴ、ＰＭＴ、イントラフレーム検索は、第１の逆多重化部３００によるＰＡＴ、ＰＭＴ、イントラフレーム検索が失敗したときのみに、動作するようになる。すなわち、第１の逆多重化部３００がＰＡＴ、ＰＭＴ、イントラフレームを検索した場合に、第２の逆多重化部２００はこれらの検索を遂行しない。もし、第１の逆多重化を遂行するときに、一部情報が検出されなかった場合は、第２の逆多重化を遂行するときに再び検索すると良い。例えば、第１の逆多重化部３００と第２の逆多重化部２００がフラグ情報を共有するようにする。ここで、フラグ情報とはＰＡＴ、ＰＭＴ、イントラフレームの検索成功の可否を示す３つのフラグを示す。
【００２０】
参照符号‘ＳＷ’は、第２の逆多重化部２００と第１の逆多重化部３００の動作がスイッチングされることを示す。第２の逆多重化部２００と第１の逆多重化部３００は、制御部(図示せず)の制御によって動作する。制御部は、第１の逆多重化が 遂行された後に第２の逆多重化が遂行されるようにスイッチング制御を行う。
【００２１】
第１の逆多重化は、ビデオ或いはオーディオを再生せずにＴＳから必要な情報を検索するためのものである。ここで、必要な情報とは、ＰＡＴ、ＰＭＴ、イントラフレームなどを示し、これは、受信されるＴＳパケットがユーザーが視聴を要求する放送(本明細書で放送チャンネル切り替え或いはチャンネル切り替えは、ユーザーにより視聴を希望する特定放送が選択されることを意味する）のオーディオ/ビデオＴＳパケットであるか否かを確認するために必要な情報である。
【００２２】
第１の逆多重化部３００及び第２の逆多重化部２００から出力されるビデオデータ或いはオーディオデータは、各々リングバッファ(ｖｉｄ、ａｕｄ)１００，１５０に伝送されてバッファリングされる。
【００２３】
図４は、図３の第１の逆多重化部３００の具体的な構成を示すブロック構成図である。
ユーザーが視聴しようとする放送チャンネルを入力すると、デジタル放送受信器がこれを感知してＴＳを受信するようになる。デジタル放送受信器にＴＳパケットが受信されると、ＴＳバッファ３１がこれをバッファリングする。ＴＳバッファ３１にバッファリングされるデータの量は、前述した図１のＴＳバッファ２２にバッファリングされるデータの量より大きく設定される。
【００２４】
ＰＡＴ検索器３３が、ＴＳバッファ３１にバッファリングされたＴＳパケットからＰＡＴを検索する。このとき、ＰＡＴ検索に成功すると、そのＰＡＴから放送チャンネル及びＰＭＴのＰＩＤリストを獲得し、ユーザーが視聴しようとする放送チャンネルのＰＭＴのＰＩＤを獲得する。また、ＰＡＴ検索器３３は、ＰＭＴ検索器３５にこれらを知らせる。制御信号Ｃ１は、ＰＡＴ検索器３３がＰＭＴ検索器３５にＰＡＴ検索の成功を知らせる信号である。
【００２５】
ＰＭＴ検索器３５は、ＰＡＴ検索の成功を知らせる制御信号Ｃ１に応答してユーザーが視聴しようとする放送チャンネルのＰＭＴのＰＩＤに基づいて、ＴＳバッファ３１にバッファリングされたＴＳパケットのヘッダーを分析し、そのＴＳパケットがＰＭＴであるかを確認することによって該当ＰＭＴを検索する。
【００２６】
ＰＭＴ検索に成功すると、ＰＭＴ検索器３５は、そのＰＭＴから該当放送チャンネルのオーディオ/ビデオＰＥＳ(Ｐａｃｋｅｔｉｚｅｄ  Ｅｌｅｍｅｎｔａｒｙ  Ｓｔｒｅａｍ)のＰＩＤを獲得する。また、ＰＭＴ検索器３５がイントラフレーム検索器３７にＰＭＴ検索成功を知らせる制御信号Ｃ２を送信する。制御信号Ｃ２に応答してイントラフレーム検索器３７は、獲得されたオーディオ/ビデオＰＥＳのＰＩＤに基づいて、ＴＳバッファ３１にバッファリングされたＴＳパケットのヘッダーを分析し、そのＴＳパケットがイントラフレームであるか否かを確認することによって、イントラフレームを検索する。  
【００２７】
イントラフレームも検索に成功すると、ビデオ逆多重化器３９及びオーディオ逆多重化器４１は、ＴＳバッファ３１にバッファリングされたＴＳパケットのヘッダーを分析して該当放送チャンネルのビデオ或いはオーディオＴＳパケットを検索し、ビデオ或いはオーディオ逆多重化してビデオデータ及びオーディオデータを出力する。これらビデオ及びオーディオデータは、各々該当リングバッファ(ｖｉｄ、ａｕｄ)１００，１５０に伝送されてバッファリングされる。
【００２８】
このようにプログラム情報獲得(ＰＡＴ、ＰＭＴ、及びイントラフレームの検索)に成功すると、以後の動作は、第２の逆多重化部２００によって遂行される。第１の逆多重化部３００による逆多重化を１回実施してプログラム情報の獲得に成功すると、第２の逆多重化部２００によるビデオ或いはオーディオの逆多重化が実施可能になるが、１回で成功しない場合には、予め定められた回数だけ反復遂行される。もし、第１の逆多重化部３００が、予め定められた回数だけ第１の逆多重化を実施してもプログラム情報を獲得できない場合には、第２の逆多重化部２００は、従来技術と同様に、まずプログラム情報の獲得を遂行してから、ビデオ或いはオーディオ逆多重化が遂行される。
【００２９】
上記した図１と比べると、第１の逆多重化を別途に遂行することによって、ＰＡＴ、ＰＭＴ、或いはイントラフレームの検索に失敗したときに、以前ＴＳバッファリングデータを捨て、次のＴＳを再びバッファリングする作業が要求されないという差がある。
【００３０】
第１の逆多重化のためになされるＴＳデータバッファリングの容量は、第２の逆多重化と比較して相対的に多い。例えば、２秒程度受信されるＴＳデータを貯蔵する。第２の逆多重化の場合は、ＴＳデータを僅か数〜数十パケット程度バッファリングする。これは、後方ステージのビデオ/オーディオリングバッファ(ｖｉｄ、ａｕｄ)１００，１５０に一定のデータを一定に貯蔵するための方案である。その理由は、ビデオ/オーディオ再生が安定的に遂行することができるためである。しかしながら、第１の逆多重化が遂行される間にはビデオ/オーディオ再生が遂行されないため、多い量をバッファリングし、一度に逆多重化しても全体的なシステムの安全性には影響を与えない。
【００３１】
その結果、本発明による逆多重化は、多い量のＴＳデータを再使用することが可能であるという点で効率的である。すなわち、上述した図１のような従来の逆多重化を遂行する場合には、順次的にＰＡＴ/ＰＭＴを検索するが、図３及び図４のように第１及び第２の逆多重化に区分し、第１の逆多重化を遂行する場合にはまずＰＡＴを検索してからバッファリングされたＴＳデータを捨てることなく、再び初めからＰＭＴを検索する。イントラフレームも同様に、初めから初期貯蔵されたＴＳデータを用いて検索すると、第１の逆多重化のためのバッファリング時間だけ投入し、ＰＡＴ/ＰＭＴを検索する時間はなくなるようになる。言い換えれば、ビデオ/オーディオデータは、第１の逆多重化のためにバッファリングしたデータからすぐに逆多重化するようになる。
【００３２】
図５は、本発明の望ましい実施形態により、逆多重化によるビデオ開始時点を説明するための例示図である。
ＴＳデータは、初期２秒間バッファリングされる。ＰＡＴは０.４秒の位置で(１ｓｔ)検索可能であるが、ＰＭＴはバッファリングされたデータの再使用で０.３秒の位置で(２ｎｄ)検索可能で、イントラフレームはバッファリングされたデータを再使用して０.１秒の位置で(３ｔｈ)検索可能であり、それによって逆多重化が遂行される。その結果、１.９秒分量のビデオデータがすぐに逆多重化されるため、ユーザーに直ちに表示可能になる。すなわち、ユーザーが表示部の画面を通じて絵を見るまで初期２秒程度だけ待機すれば良い。それによって、前述した図１による逆多重化を遂行する場合に、３.１秒がかかることに比べると、１秒以上チャンネル切り替え速度を低下することができる。
【００３３】
弱電界(ｗｅａｋ  ｅｌｅｃｔｒｉｃ  ｆｉｅｌｄ)で、第１の逆多重化で希望するＰＡＴ/ＰＭＴが検索されない場合があるが、このときには第２の逆多重化でスイッチングを遂行することが可能である。
【００３４】
以上、本発明の具体的な実施形態に関して詳細に説明したが、本発明の範囲を外れない限り、様々な変形が可能であることは、当該技術分野における通常の知識を持つ者には自明なことであろう。したがって、本発明の範囲は、上述した実施形態に限定されるものではなく、特許請求の範囲及びこの特許請求の範囲と均等なものに基づいて定められるべきである。
【図面の簡単な説明】
【００３５】
【図１】デジタル放送受信器で遂行される従来の逆多重化を示すブロック構成図である。
【図２】従来の逆多重化によるビデオ開始時点を説明するための例示図である。
【図３】本発明の望ましい実施形態によるデジタル放送受信器の逆多重化装置の構成を示す図である。
【図４】図３の第１の逆多重化部の具体的な構成を示すブロック構成図である。
【図５】本発明の望ましい実施形態により、逆多重化によるビデオ開始時点を説明するための例示図である。
【符号の説明】
【００３６】
１００、１５０  リングバッファ
２００  第１の逆多重化部
３００  第２の逆多重化部
【図１】
2006262483.tif 000003
【図２】
2006262483.tif 000004
【図３】
2006262483.tif 000005
【図４】
2006262483.tif 000006
【図５】
2006262483.tif 000007